(57)【要約】【課題】遮断器の状態を容易に診断できる遮断器状態診断装置、遮断器状態診断システム、遮断器状態診断方法、およびプログラムを提供すること。【解決手段】遮断器状態診断装置は、遮断器の投入コイルと開放コイルとに流れる電流である指令電流を検出する指令電流検出部と、遮断器の主接点間に印加されている電圧に基づいて、主接点の開閉状態の変化を検出する開閉状態検出部と、指令電流検出部が指令電流を検出してから、開閉状態検出部が主接点の開閉状態の変化を検出するまでの時間を測定する時間測定部と、時間測定部が測定した時間に基づいて、遮断器の状態を判定する判定部と、を備える。【選択図】図２
2020123525.tif 000002
【特許請求の範囲】
【請求項１】
遮断器の投入コイルと開放コイルとに流れる電流である指令電流を検出する指令電流検出部と、
前記遮断器の主接点間に印加されている電圧に基づいて、前記主接点の開閉状態の変化を検出する開閉状態検出部と、
前記指令電流検出部が前記指令電流を検出してから、前記開閉状態検出部が前記主接点の開閉状態の変化を検出するまでの時間を測定する時間測定部と、
前記時間測定部が測定した時間に基づいて、前記遮断器の状態を判定する判定部と、
を備える遮断器状態診断装置。
【請求項２】
遮断器の投入コイルと開放コイルとに流れる電流からノイズを除去する処理を行うノイズ除去部と、
前記遮断器の主接点間に印加されている電圧からチャタリングを除去する処理を行うチャタリング除去部と
を備え、
前記指令電流検出部は、前記ノイズ除去部が前記ノイズを除去する処理を行った電流である指令電流を検出し、
前記開閉状態検出部は、前記チャタリング除去部が前記チャタリングを除去する処理を行った電圧に基づいて、前記主接点の開閉状態の変化を検出する、請求項１に記載の遮断器状態診断装置。
【請求項３】
前記チャタリング除去部は、前記主接点と機械的にリンクした常開接点と常閉接点とのいずれか一方又は両方に印加されている電圧からチャタリングを除去する処理を行い、
前記開閉状態検出部は、前記チャタリング除去部が前記チャタリングを除去する処理を行った前記常開接点と前記常閉接点とのいずれか一方又は両方に印加されている電圧に基づいて、前記主接点の開閉状態の変化を検出する、請求項２に記載の遮断器状態診断装置。
【請求項４】
前記開閉状態検出部は、前記常開接点が開と閉との間で変化したことによって生じる電圧の変化と、前記常閉接点が閉と開との間で変化したことによって生じる電圧の変化とのいずれか一方又は両方に基づいて、前記主接点の開閉状態の変化を検出する、請求項３に記載の遮断器状態診断装置。
【請求項５】
前記判定部の判定結果に基づいて、前記遮断器の点検時期を導出する導出部
を備える、請求項１から請求項４のいずれか一項に記載の遮断器状態診断装置。
【請求項６】
遮断器の投入コイルと開放コイルとに流れる電流である指令電流を検出する指令電流検出部と、
前記遮断器の主接点間に印加されている電圧に基づいて、前記主接点の開閉状態の変化を検出する開閉状態検出部と、
前記指令電流検出部が前記指令電流を検出してから、前記開閉状態検出部が前記主接点の開閉状態の変化を検出するまでの時間を測定する時間測定部と、
前記時間測定部が測定した時間に基づいて、前記遮断器の状態を判定する判定部と、
を備える、遮断器状態診断システム。
【請求項７】
遮断器状態診断装置が実行する遮断器状態診断方法であって、
遮断器の投入コイルと開放コイルとに流れる電流である指令電流を検出するステップと、
前記遮断器の主接点間に印加されている電圧に基づいて、前記主接点の開閉状態の変化を検出するステップと、
前記指令電流を検出するステップで、前記指令電流を検出してから、前記開閉状態を検出するステップで、前記主接点の開閉状態の変化を検出するまでの時間を測定するステップと、
前記時間を測定するステップで測定した時間に基づいて、前記遮断器の状態を判定するステップと
を有する、遮断器状態診断方法。
【請求項８】
コンピュータに、
遮断器の投入コイルと開放コイルとに流れる電流である指令電流を検出するステップと、
前記遮断器の主接点間に印加されている電圧に基づいて、前記主接点の開閉状態の変化を検出するステップと、
前記指令電流を検出するステップで、前記指令電流を検出してから、前記開閉状態を検出するステップで、前記主接点の開閉状態の変化を検出するまでの時間を測定するステップと、
前記時間を測定するステップで測定した時間に基づいて、前記遮断器の状態を判定するステップと
を実行させる、プログラム。
【発明の詳細な説明】
【技術分野】
【０００１】
本発明の実施形態は、遮断器状態診断装置、遮断器状態診断システム、遮断器状態診断方法、およびプログラムに関する。
【背景技術】
【０００２】
発電所、変電所、開閉所などの電気所には、送電線や変圧器に流れる電流を開閉するための遮断器が設けられている。遮断器は、油圧やばねなどの動力を用いて、特別高圧や高圧の電気回路を開閉するための主接点を駆動している。
遮断器の性能を維持するために、定期的に機能確認のための点検と、機能回復のための点検とが行われている。
機能確認のための点検では、遮断器の主接点を開閉した場合の動作速度の測定と、管理とが行われる。これらは、遮断器の機能を維持するうえで非常に重要である。
動作速度を測定する方法として、主接点の駆動部に直接センサを取り付けて、直接動作速度を測定し、管理する方法がある。動作速度の測定結果から、遮断器の経年による機能低下を把握でき、機能回復のための適切な点検時期を設定することができる。
また、主接点の駆動ストロークは予め決まっているため、駆動時間を測定し管理することで、間接的に動作速度を管理する方法がある。駆動時間を測定する方法の一例として、投入もしくは開放するための操作指令を検出した場合に計時を開始し、主接点の開閉状態が変化（入りまたは切）した場合に計時を終了する方法がある。
【０００３】
また、状態表示用の補助開閉器が駆動軸に機械的にリンクされている場合には、投入もしくは開放するための操作指令を検出した場合に計時を開始し、補助開閉器の常開接点（ａ接点）又は常閉接点（ｂ接点）の接点状態が反転した場合に、計時を終了することで駆動時間を測定する。
遮断器を監視する技術に関して、複数の遮断器を精度良く監視する技術が知られている（例えば、特許文献１参照）。この技術は、投入指令に応じて閉じるとともに引外し指令に応じて開く主接点と、主接点の開閉動作に連動して開閉する補助接点と、をそれぞれが有する複数の遮断器のための遮断器監視装置において、複数の遮断器それぞれの補助接点の入口端に電圧を常時印加する電源回路と、複数の遮断器それぞれの補助接点の出口端の電圧を監視し、複数の遮断器のうち、補助接点の出口端の電圧が所定の変化をする遮断器を動作している遮断器として特定する監視装置と、を備える。
【先行技術文献】
【特許文献】
【０００４】
【特許文献１】特開２０１１−０７０８３８号公報
【発明の概要】
【発明が解決しようとする課題】
【０００５】
仮に、駆動時間を測定し管理することで、間接的に動作速度を管理する方法を採用する場合には、点検では、可搬型の測定器を、点検対象の遮断器に取り付けて、その遮断器を動作させて、駆動時間を測定する。点検では、駆動時間の測定結果に基づいて、機能確認を行うため、手間がかかる。
【０００６】
本発明は、前述した点に鑑みてなされたものであり、その目的は、遮断器の状態を容易に診断できる遮断器状態診断装置、遮断器状態診断システム、遮断器状態診断方法、およびプログラムを提供することである。
【課題を解決するための手段】
【０００７】
本発明の一態様は、遮断器の投入コイルと開放コイルとに流れる電流である指令電流を検出する指令電流検出部と、前記遮断器の主接点間に印加されている電圧に基づいて、前記主接点の開閉状態の変化を検出する開閉状態検出部と、前記指令電流検出部が前記指令電流を検出してから、前記開閉状態検出部が前記主接点の開閉状態の変化を検出するまでの時間を測定する時間測定部と、前記時間測定部が測定した時間に基づいて、前記遮断器の状態を判定する判定部と、を備える遮断器状態診断装置である。
本発明の一態様の遮断器状態診断装置において、遮断器の投入コイルと開放コイルとに流れる電流からノイズを除去する処理を行うノイズ除去部と、前記遮断器の主接点間に印加されている電圧からチャタリングを除去する処理を行うチャタリング除去部とを備え、前記指令電流検出部は、前記ノイズ除去部が前記ノイズを除去する処理を行った電流である指令電流を検出し、前記開閉状態検出部は、前記チャタリング除去部が前記チャタリングを除去する処理を行った電圧に基づいて、前記主接点の開閉状態の変化を検出する。
本発明の一態様の遮断器状態診断装置において、前記チャタリング除去部は、前記主接点と機械的にリンクした常開接点と常閉接点とのいずれか一方又は両方に印加されている電圧からチャタリングを除去する処理を行い、前記開閉状態検出部は、前記チャタリング除去部が前記チャタリングを除去する処理を行った前記常開接点と前記常閉接点とのいずれか一方又は両方に印加されている電圧に基づいて、前記主接点の開閉状態の変化を検出する。
本発明の一態様の遮断器状態診断装置において、前記開閉状態検出部は、前記常開接点が開と閉との間で変化したことによって生じる電圧の変化と、前記常閉接点が閉と開との間で変化したことによって生じる電圧の変化とのいずれか一方又は両方に基づいて、前記主接点の開閉状態の変化を検出する。
本発明の一態様の遮断器状態診断装置において、前記判定部の判定結果に基づいて、前記遮断器の点検時期を導出する導出部を備える。
【０００８】
本発明の一態様は、遮断器の投入コイルと開放コイルとに流れる電流である指令電流を検出する指令電流検出部と、前記遮断器の主接点間に印加されている電圧に基づいて、前記主接点の開閉状態の変化を検出する開閉状態検出部と、前記指令電流検出部が前記指令電流を検出してから、前記開閉状態検出部が前記主接点の開閉状態の変化を検出するまでの時間を測定する時間測定部と、前記時間測定部が測定した時間に基づいて、前記遮断器の状態を判定する判定部と、を備える、遮断器状態診断システムである。
【０００９】
本発明の一態様は、遮断器状態診断装置が実行する遮断器状態診断方法であって、遮断器の投入コイルと開放コイルとに流れる電流である指令電流を検出するステップと、前記遮断器の主接点間に印加されている電圧に基づいて、前記主接点の開閉状態の変化を検出するステップと、前記指令電流を検出するステップで、前記指令電流を検出してから、前記開閉状態を検出するステップで、前記主接点の開閉状態の変化を検出するまでの時間を測定するステップと、前記時間を測定するステップで測定した時間に基づいて、前記遮断器の状態を判定するステップとを有する、遮断器状態診断方法である。
【００１０】
本発明の一態様は、コンピュータに、遮断器の投入コイルと開放コイルとに流れる電流である指令電流を検出するステップと、前記遮断器の主接点間に印加されている電圧に基づいて、前記主接点の開閉状態の変化を検出するステップと、前記指令電流を検出するステップで、前記指令電流を検出してから、前記開閉状態を検出するステップで、前記主接点の開閉状態の変化を検出するまでの時間を測定するステップと、前記時間を測定するステップで測定した時間に基づいて、前記遮断器の状態を判定するステップとを実行させる、プログラムである。
【発明の効果】
【００１１】
本発明の実施形態によれば、遮断器の状態を容易に診断できる遮断器状態診断装置、遮断器状態診断システム、遮断器状態診断方法、およびプログラムを提供できる。
【図面の簡単な説明】
【００１２】
【図１】第１の実施形態の遮断器状態診断装置が診断する遮断器の一例を示す図である。
【図２】第１の実施形態の遮断器状態診断装置の一例を示すブロック図である。
【図３】第１の実施形態の遮断器状態診断装置の動作の一例を示す図である。
【図４】第１の実施形態の遮断器状態診断装置の動作の一例を示す図である。
【図５】第１の実施形態の遮断器状態診断装置の動作の一例を示すフローチャートである。
【図６】第２の実施形態の遮断器状態診断システムが診断する遮断器の一例を示す図である。
【図７】第２の実施形態の遮断器状態収集システムの一例を示すブロック図である。
【図８】第２の実施形態の遮断器状態診断システムの一例を示す図である。
【図９】第２の実施形態の遮断器状態診断システムの動作の一例を示すシーケンスチャートである。
【図１０】第２の実施形態の遮断器状態診断システムの動作の一例を示すシーケンスチャートである。
【発明を実施するための形態】
【００１３】
次に、本実施形態の遮断器状態診断装置、遮断器状態診断システム、遮断器状態診断方法、およびプログラムを、図面を参照しつつ説明する。以下で説明する実施形態は一例に過ぎず、本発明が適用される実施形態は、以下の実施形態に限られない。
なお、実施形態を説明するための全図において、同一の機能を有するものは同一符号を用い、繰り返しの説明は省略する。
また、本願でいう「ＸＸに基づいて」とは、「少なくともＸＸに基づく」ことを意味し、ＸＸに加えて別の要素に基づく場合も含む。また、「ＸＸに基づいて」とは、ＸＸを直接に用いる場合に限定されず、ＸＸに対して演算や加工が行われたものに基づく場合も含む。「ＸＸ」は、任意の要素（例えば、任意の情報）である。
【００１４】
（第１の実施形態）
（遮断器状態診断装置）
本発明の第１の実施形態の遮断器状態診断装置を、図面を参照して説明する。第１の実施形態の遮断器状態診断装置は、遮断器の投入コイルと開放コイルとに流れる電流である指令電流を検出する。第１の実施形態の遮断器状態診断装置は、遮断器の主接点間に印加されている電圧に基づいて、主接点の開閉状態の変化を検出する。第１の実施形態の遮断器状態診断装置は、指令電流を検出してから、主接点の開閉状態の変化を検出するまでの時間を測定し、測定した時間に基づいて、遮断器の状態を判定する。ここで、遮断器について説明する。
【００１５】
（遮断器）
図１は、第１の実施形態の遮断器状態診断装置が状態を診断する遮断器の一例を示す図である。本実施形態の遮断器状態診断装置１００は、遮断器１０に含まれる操作箱に常設される。遮断器１０は、例えば発電所、変電所、開閉所などの電気所に設置されている。
遮断器１０は、ブッシング１−１と、ブッシング１−２と、主回路導体２−１と、主回路導体２−２と、主接点３と、常開接点４ａと、常閉接点４ｂと、電流センサ５と、開放コイル６と、投入コイル７と、遮断装置９と、遮断器状態診断装置１００とを備える。また、遮断器１０は外部操作部２０と接続され、外部操作部２０は制御電源（ＤＣ）８と接続される。
遮断装置９には、主接点３が含まれる。遮断装置９の上部には、ブッシング１−１と、ブッシング１−２とが設けられている。ブッシング１−１と、ブッシング１−２との内部には、主回路導体２−１と、主回路導体２−２とがそれぞれ配置されている。主回路導体２−１と、主回路導体２−２とは、それぞれ金属端子を介して、送電線と接続される。
主接点３は、二つの電極を含み、正常時には、その二つの電極がつながった状態（以下「投入状態」という）である。主接点３は、その二つの電極が引き離されることによって、電気を瞬時に遮断できる。つまり、二つの電極が隔離されることによって、二つの電極が開放された状態（以下「開放状態」という）となる。主接点３は、開放状態へ移行したが、開放状態から投入状態に復帰させる場合に、投入動作が行われることによって、投入状態にできる。
主接点３が投入状態において、制御電源８に接続された外部操作部２０が操作されることによって開放コイル６が動作すると、遮断器１０は開放状態に移行する。すなわち、遮断装置９の主接点３は、遮断される。具体的には、外部操作部２０の開放コイル６に接続されるスイッチｓ１がオンにされることによって、開放コイル６が動作する。
遮断器１０が開放状態において、制御電源８に接続された外部操作部２０が操作されることによって投入コイル７が動作すると、遮断器１０は投入状態に移行する。すなわち、遮断装置９の主接点３は、接続される。具体的には、外部操作部２０の投入コイル７に接続されるスイッチｓ２がオンにされることによって、投入コイル７が動作する。
【００１６】
開放コイル６が動作して遮断器１０が開放状態となる場合に、開放コイル６に流れる電流は、電流センサ５によって検出される。電流センサ５が検出した電流は、遮断器状態診断装置１００へ出力される。具体的には、外部操作部２０のスイッチｓ１と開放コイル６とを接続する電線は、クランプ型の電流センサ５で挟まれており、スイッチｓ１がオンにされることによって開放コイル６に流れる電流を、電流センサ５は検出する。
投入コイル７が動作して遮断器１０が投入状態となる場合に、投入コイル７に流れる電流は、電流センサ５によって検出される。電流センサ５が検出した電流は、遮断器状態診断装置１００へ出力される。具体的には、外部操作部２０のスイッチｓ２と開放コイル６とを接続する電線は、クランプ型の電流センサ５で挟まれており、スイッチｓ２がオンにされることによって投入コイル７に流れる電流を、電流センサ５は検出する。
常開接点４ａは、主接点３の駆動軸に機械的にリンクされている補助開閉器に含まれ、主接点３が開放状態の場合には開であり、主接点３が投入状態の場合には閉である。つまり、主接点３が開放状態から投入状態へ変化した場合には、その主接点３の動作に連動して、常開接点４ａは開から閉へ変化する。主接点３が投入状態から開放状態へ変化した場合には、その主接点３の動作に連動して、常開接点４ａは閉から開へ変化する。
また、常開接点４ａは、遮断器状態診断装置１００に接続されており、遮断器状態診断装置１００は、主接点３が開放状態から投入状態へ変化した場合に、常開接点４ａが開から閉へ変化したことを、常開接点４ａ間の電圧の変化によって検出する。遮断器状態診断装置１００は、主接点３が投入状態から開放状態へ変化した場合に、常開接点４ａが閉から開へ変化したことを、常開接点４ａ間の電圧の変化によって検出する。
常閉接点４ｂは、主接点３の駆動軸に機械的にリンクされている補助開閉器に含まれ、主接点３が開放状態の場合には閉であり、主接点３が投入状態の場合には開である。つまり、主接点３が開放状態から投入状態へ変化した場合には、その主接点３の動作に連動して、常閉接点４ｂは閉から開へ変化する。主接点３が投入状態から開放状態へ変化した場合には、その主接点３の動作に連動して、常閉接点４ｂは開から閉へ変化する。
また、常閉接点４ｂは、遮断器状態診断装置１００に接続されており、遮断器状態診断装置１００は、主接点３が開放状態から投入状態へ変化した場合に、常閉接点４ｂが閉から開へ変化したことを、常閉接点４ｂ間の電圧の変化によって検出する。遮断器状態診断装置１００は、主接点３が投入状態から開放状態へ変化した場合に、常閉接点４ｂが開から閉へ変化したことを、常閉接点４ｂ間の電圧の変化によって検出する。
【００１７】
次に、遮断器１０に含まれる操作箱に常設される遮断器状態診断装置１００の一例について説明する。
（遮断器状態診断装置）
図２は、第１の実施形態の遮断器状態診断装置の一例を示すブロック図である。
第１の実施形態の遮断器状態診断装置１００は、接点入力インターフェース（ＦＬ）１０１−１と、接点入力インターフェース（ＦＬ）１０１−２と、電流入力インターフェース（ＤＴ）１０２と、入力ポート（Ｉ／Ｐ）１０３と、情報処理部１０４と、動作状態監視部（ＷＤＴ）１０５と、ディスプレイ（ＤＩＳＰ）１０６と、リアルタイム時計（ＲＴＣ）１０７と、記憶部（ＥＥＰＲＯＭ）１０８と、出力ポート（Ｏ／Ｐ）１０９とを備える。
【００１８】
接点入力インターフェース（ＦＬ）１０１−１は、常開接点４ａと、接点ｆｌａ１と接点ｆｌｂ１とによって接続されている。接点入力インターフェース１０１−１は、アナログフィルターと、電圧印加回路と、過電圧保護回路とのいずれか又は２つ又は全てを含む。本実施形態では、接点入力インターフェース１０１−１が、アナログフィルターと、電圧印加回路と、過電圧保護回路との全てを含む場合について説明を続ける。アナログフィルターは、アナログ信号において必要な周波数成分のみ抽出または不要な成分を除去する。電圧印加回路は、電圧を印加する。過電圧保護回路は、設定値以上の電圧が掛からないようにする。アナログフィルターと、過電圧保護回路とによって、ノイズが除去される。接点入力インターフェース１０１−１には、常開接点４ａ間に印加されている電圧が入力される。接点入力インターフェース１０１−１は、入力された電圧のノイズを除去し、ノイズを除去した電圧（以下「常開接点電圧」という）を、入力ポート１−３へ出力する。
接点入力インターフェース（ＦＬ）１０１−２は、常閉接点４ｂと、接点ｆｌａ２と接点ｆｌｂ２とによって接続されている。接点入力インターフェース１０１−２は、アナログフィルターと、電圧印加回路と、過電圧保護回路とのいずれか又は２つ又は全てを含む。本実施形態では、接点入力インターフェース１０１−１が、アナログフィルターと、電圧印加回路と、過電圧保護回路との全てを含む場合について説明を続ける。アナログフィルターと、過電圧保護回路とによって、ノイズが除去される。接点入力インターフェース１０１−２には、常閉接点４ｂ間に印加されている電圧が入力される。接点入力インターフェース１０１−２は、入力された電圧のノイズを除去し、ノイズを除去した電圧（以下「常閉接点電圧」という）を、入力ポート１−３へ出力する。
電流入力インターフェース（ＤＴ）１０２は、電流センサ５と、接点ｄｔ１と接点ｄｔ２とによって接続されている。電流入力インターフェース１０２は、波形整形回路と、過電圧保護回路とを含む。波形整形回路は、入力波形の一部を切り取り、残った部分を出力する。電流入力インターフェース１０２は、電流センサ５が出力した電流の一部を切り取り、残った部分である開放指令電流と投入指令電流とのいずれか一方を、入力ポート１０３へ出力する。
スイッチｓｗ１〜スイッチｓｗｎ（ｎは、ｎ＞０の整数）は、遮断器状態診断装置１００を操作するためのスイッチである。スイッチｓｗ１〜スイッチｓｗｎが操作されることによって、遮断器状態診断装置１００は動作する。
【００１９】
入力ポート１０３は、接点入力インターフェース１０１−１と、接点入力インターフェース１０１−２と、電流入力インターフェース１０２と、スイッチｓｗ１〜スイッチｓｗｎと接続される。入力ポート１０３は、接点入力インターフェース１０１−１が出力した
常開接点電圧と、接点入力インターフェース１０１−２が出力した常閉接点電圧とを取得し、取得した常開接点電圧と、常閉接点電圧とを、情報処理部１０４へ出力する。
入力ポート１０３は、電流入力インターフェース１０２が出力した投入指令電流と、開放指令電流とのいずれかを取得し、取得した投入指令電流と、開放指令電流とのいずれかを、情報処理部１０４へ出力する。
入力ポート１０３は、スイッチｓｗ１〜スイッチｓｗｎが出力した操作情報を取得し、取得した操作情報を、情報処理部１０４へ出力する。
動作状態監視部１０５は、情報処理部１０４と接続される。動作状態監視部１０５は、情報処理部１０４にエラーが発生していないことを監視することによって、遮断器状態診断装置１００が正常に動作していることを監視する。動作状態監視部１０５は、情報処理部１０４にエラーが発生していることを検出したことによって、遮断器状態診断装置１００が正常に動作していないと判定した場合に、遮断器状態診断装置１００に異常が発生したことを示す情報を、出力ポート１０９へ出力する。
ディスプレイ１０６は、情報処理部１０４と接続される。ディスプレイ１０６は、情報処理部１０４が出力した情報等を表示する。具体的には、ディスプレイ１０６は、開放指令常開接点応答時間を示す情報と、開放指令常閉接点応答時間を示す情報とを表示する。ディスプレイ１０６は、遮断器１０が異常であるか否かの判定結果を表示する。
リアルタイム時計１０７は、情報処理部１０４と接続される。リアルタイム時計１０７は、計測日時を特定するために使用される。
【００２０】
記憶部１０８は、情報処理部１０４と接続される。記憶部１０８は、情報処理部１０４により実行されるプログラム１０８１が記憶される。
プログラム１０８１は、遮断器状態診断装置１００に、遮断器１０の投入コイル７に流れる投入指令電流と、開放コイル６に流れる開放指令電流とのいずれかを検出させる。プログラム１０８１は、遮断器状態診断装置１００に、主接点３が開放状態から投入状態へ変化した場合に、入力ポート１０３が出力した常開接点電圧に基づいて、常開接点４ａが開から閉へ変化したことを検出させる。プログラム１０８１は、遮断器状態診断装置１００に、主接点３が開放状態から投入状態へ変化した場合に、入力ポート１０３が出力した常閉接点電圧に基づいて、常閉接点４ｂが閉から開へ変化したことを検出させる。
プログラム１０８１は、遮断器状態診断装置１００に、投入指令電流を検出した日時から、常開接点４ａが開から閉へ変化したことを検出した日時までに要した時間（以下「投入指令常開接点応答時間」という）を測定させる。プログラム１０８１は、遮断器状態診断装置１００に、投入指令電流を検出した日時から、常閉接点４ｂが閉から開へ変化したことを検出した日時までに要した時間（以下「投入指令常閉接点応答時間」という）を測定させる。プログラム１０８１は、遮断器状態診断装置１００に、測定させた投入指令常開接点応答時間と、投入指令常閉接点応答時間とに基づいて、遮断器１０の状態を判定させる。
【００２１】
プログラム１０８１は、遮断器状態診断装置１００に、主接点３が投入状態から開放状態へ変換した場合に、入力ポート１０３が出力した常開接点電圧に基づいて、常開接点４ａが閉から開へ変化したことを検出させる。プログラム１０８１は、遮断器状態診断装置１００に、主接点３が投入状態から開放状態へ変換した場合に、入力ポート１０３が出力した常閉接点電圧に基づいて、常閉接点４ｂが開から閉へ変化したことを検出させる。
プログラム１０８１は、遮断器状態診断装置１００に、開放指令電流を検出した日時から、常閉接点４ｂが開から閉へ変化したことを検出した日時までに要した時間（以下「開放指令常閉接点応答時間」という）を測定させる。プログラム１０８１は、遮断器状態診断装置１００に、開放指令電流を検出した日時から、常開接点４ａが閉から開へ変化したことを検出した日時までに要した時間（以下「開放指令常開接点応答時間」という）を測定させる。プログラム１０８１は、遮断器状態診断装置１００に、測定させた開放指令常閉接点応答時間と、開放指定常開接点応答時間とに基づいて、遮断器１０の状態を判定させる。
出力ポート１０９は、情報処理部１０４と、動作状態監視部１０５と接続される。出力ポート１０９は、異常を検出した場合に、アラームを出力するための情報通信ポートと、上位系データサーバ等とのデータリンクのための情報通信ポートとを含む。出力ポート１０９は、動作状態監視部１０５が出力した遮断器状態診断装置１００に異常が発生したことを示す情報を取得し、取得した遮断器状態診断装置１００に異常が発生したことを示す情報に基づいて、情報通信ポートからアラームを出力する。
【００２２】
情報処理部１０４の全部または一部は、例えば、ＣＰＵ（Central Processing Unit）などのプロセッサが記憶部１０８に格納されたプログラム１０８１を実行することにより実現される機能部（以下、ソフトウェア機能部と称する）である。なお、情報処理部１０４の全部または一部は、ＬＳＩ（Large Scale Integration）、ＡＳＩＣ（Application Specific Integrated Circuit）、またはＦＰＧＡ（Field-Programmable Gate Array）などのハードウェアにより実現されてもよく、ソフトウェア機能部とハードウェアとの組み合わせによって実現されてもよい。
情報処理部１０４は、例えば、指令電流検出部１０４１と、開閉状態検出部１０４２と、時間測定部１０４３と、判定部１０４４として機能する。
指令電流検出部１０４１は、入力ポート１０３が出力した投入指令電流と、開放指令電流とのいずれかを取得する。指令電流検出部１０４１は、投入指令電流を検出した場合には、投入指令電流を検出したことを示す情報を、時間測定部１０４３へ出力する。指令電流検出部１０４１は、開放指令電流を検出した場合には、開放指令電流を検出したことを示す情報を、時間測定部１０４３へ出力する。
開閉状態検出部１０４２は、入力ポート１０３が出力した常開接点電圧に基づいて、常開接点４ａが開放状態から投入状態へ変化したことを検出し、常開接点４ａが開放状態から投入状態へ変化したことを示す情報を、時間測定部１０４３へ出力する。
開閉状態検出部１０４２は、入力ポート１０３が出力した常閉接点電圧に基づいて、常閉接点４ｂが投入状態から開放状態へ変化したことを検出し、常閉接点４ｂが投入状態から開放状態へ変化したことを示す情報を、時間測定部１０４３へ出力する。
開閉状態検出部１０４２は、入力ポート１０３が出力した常開接点電圧に基づいて、常開接点４ａが投入状態から開放状態へ変化したことを検出し、常開接点４ａが投入状態から開放状態へ変化したことを示す情報を、時間測定部１０４３へ出力する。
開閉状態検出部１０４２は、入力ポート１０３が出力した常閉接点電圧に基づいて、常閉接点４ｂが開放状態から投入状態へ変化したことを検出し、常閉接点４ｂが開放状態から投入状態へ変化したことを示す情報を、時間測定部１０４３へ出力する。
【００２３】
時間測定部１０４３は、指令電流検出部１０４１が出力した投入指令電流を検出したことを示す情報を取得する。時間測定部１０４３は、投入指令電流を検出したことを示す情報を取得した日時を、リアルタイム時計１０７から取得する。
時間測定部１０４３は、開閉状態検出部１０４２が出力した常開接点４ａが開放状態から投入状態へ変化したことを示す情報を取得する。時間測定部１０４３は、開閉状態検出部１０４２が出力した常閉接点４ｂが投入状態から開放状態へ変化したことを示す情報を取得する。
時間測定部１０４３は、常開接点４ａが開放状態から投入状態へ変化したことを示す情報を取得した日時と、常閉接点４ｂが投入状態から開放状態へ変化したことを示す情報を取得した日時とを、リアルタイム時計１０７から取得する。
時間測定部１０４３は、指令電流検出部１０４１が出力した投入指令電流を検出したことを示す情報を取得した日時から、常開接点４ａが開放状態から投入状態へ変化したことを示す情報を取得した日時までに経過した時間である投入指令常開接点応答時間を測定する。
時間測定部１０４３は、指令電流検出部１０４１が出力した投入指令電流を検出したことを示す情報を取得した日時から、常閉接点４ｂが投入状態から開放状態へ変化したことを示す情報を取得した日時までに経過した時間である投入指令常閉接点応答時間を測定する。
時間測定部１０４３は、測定した投入指令常開接点応答時間を示す情報と、投入指令常閉接点応答時間を示す情報とを、判定部１０４４と、ディスプレイ１０６とへ出力する。
【００２４】
時間測定部１０４３は、指令電流検出部１０４１が出力した開放指令電流を検出したことを示す情報を取得する。時間測定部１０４３は、開放指令電流を検出したことを示す情報を取得した日時を、リアルタイム時計１０７から取得する。
時間測定部１０４３は、開閉状態検出部１０４２が出力した常閉接点４ｂが開放状態から投入状態へ変化したことを示す情報を取得する。時間測定部１０４３は、開閉状態検出部１０４２が出力した常開接点４ａが投入状態から開放状態へ変化したことを示す情報を取得する。
時間測定部１０４３は、常閉接点４ｂが開放状態から投入状態へ変化したことを示す情報を取得した日時と、常開接点４ａが投入状態から開放状態へ変化したことを示す情報を取得した日時とを、リアルタイム時計１０７から取得する。
【００２５】
時間測定部１０４３は、指令電流検出部１０４１が出力した開放指令電流を検出したことを示す情報を取得した日時から、常閉接点４ｂが開放状態から投入状態へ変化したことを示す情報を取得した日時までに経過した時間である開放指令常閉接点応答時間を測定する。
時間測定部１０４３は、指令電流検出部１０４１が出力した開放指令電流を検出したことを示す情報を取得した日時から、常開接点４ａが投入状態から開放状態へ変化したことを示す情報を取得した日時までに経過した時間である開放指令常開接点応答時間を測定する。
時間測定部１０４３は、測定した開放指令常開接点応答時間を示す情報と、開放指令常閉接点応答時間を示す情報とを、判定部１０４４と、ディスプレイ１０６とへ出力する。
【００２６】
判定部１０４４は、時間測定部１０４３が出力した投入指令常開接点応答時間を示す情報と、投入指令常閉接点応答時間を示す情報とを取得する。判定部１０４４は、取得した投入指令常開接点応答時間を示す情報と、投入指令常閉接点応答時間を示す情報とに基づいて、遮断器１０が正常であるか否かを判定する。
具体的には、判定部１０４４は、予め設定されている投入指令常開接点応答時間閾値と、投入指令常閉接点応答時間閾値とに基づいて、投入指令常開接点応答時間が投入指令常開接点応答時間閾値未満であり、且つ投入指令常閉接点応答時間が投入指令常閉接点応答時間閾値未満である場合に、遮断器１０が正常であると判定する。判定部１０４４は、投入指令常開接点応答時間が投入指令常開接点応答時間閾値以上、又は投入指令常閉接点応答時間が投入指令常閉接点応答時間閾値以上である場合に、遮断器１０が異常であると判定する。判定部１０４４は、遮断器１０が異常であるか否かの判定結果を、ディスプレイ１０６へ出力する。
判定部１０４４は、時間測定部１０４３が出力した開放指令常開接点応答時間を示す情報と、開放指令常閉接点応答時間を示す情報とを取得する。判定部１０４４は、取得した開放指令常開接点応答時間を示す情報と、開放指令常閉接点応答時間を示す情報とに基づいて、遮断器１０が正常であるか否かを判定する。
具体的には、判定部１０４４は、予め設定されている開放指令常開接点応答時間閾値と、開放指令常閉接点応答時間閾値とに基づいて、開放指令常開接点応答時間が開放指令常開接点応答時間閾値未満であり、且つ開放指令常閉接点応答時間が開放指令常閉接点応答時間閾値未満である場合に、遮断器１０が正常であると判定する。判定部１０４４は、開放指令常開接点応答時間が開放指令常開接点応答時間閾値以上、又は開放指令常閉接点応答時間が開放指令常閉接点応答時間閾値以上である場合に、遮断器１０が異常であると判定する。判定部１０４４は、遮断器１０が異常であるか否かの判定結果を、ディスプレイ１０６へ出力する。
【００２７】
（遮断器状態診断装置の動作）
ここで、情報処理部１０４の判定部１０４４の動作について、外部操作部２０が操作されることによって、電流センサ５が開放コイル６に流れる電流を検出する場合と、電流センサ５が投入コイル７に流れる電流を検出する場合とに分けて説明する。
（電流センサ５が開放コイル６に流れる電流を検出する場合）
図３は、第１の実施形態の遮断器状態診断装置の動作の一例を示す図である。
図３の左図は、電流センサ５から遮断器状態診断装置１００へ入力される電流波形（トリガ）と、常開接点４ａ間の電圧波形（ａコン）と、常閉接点４ｂ間の電圧波形（ｂコン）とが示される。つまり、図３の左図は、通常のモニタリングの結果を示す。
図３の左図によれば、遮断器状態診断装置１００へ入力される電流波形（トリガ）が所定の電流閾値以上変化した後に、常開接点４ａ間の電圧波形（ａコン）が所定の常開接点電圧閾値以上変化し、その後、常閉接点４ｂ間の電圧波形（ｂコン）が所定の常閉接点電圧閾値以上変化する。具体的には、遮断器状態診断装置１００へ入力される電流波形（トリガ）が所定の電流閾値上昇した後に、常開接点４ａ間の電圧波形（ａコン）が所定の常開接点電圧閾値以上低下し、その後、常閉接点４ｂ間の電圧波形（ｂコン）が所定の常閉接点電圧閾値以上上昇する。この場合、投入指令常開接点応答時間は２５［ｍｓ］であり、投入指令常閉接点応答時間は３５［ｍｓ］である。
図３の右図は、遮断器状態診断装置１００の情報処理部１０４へ入力される投入指令電流（トリガ）と、常開接点４ａ間の常開接点電圧波形（ａコン）と、常閉接点４ｂ間の常閉接点電圧波形（ｂコン）とが示される。つまり、図３の右図は、本実施形態の遮断器状態診断装置１００による結果を示す。
図３の右図によれば、遮断器状態診断装置１００の情報処理部１０４へ入力される投入指令電流（トリガ）が所定の投入指令電流閾値以上変化した後に、常開接点４ａ間の電圧波形（ａコン）が所定の常開接点電圧閾値以上変化し、その後、常閉接点４ｂ間の電圧波形（ｂコン）が所定の常閉接点電圧閾値以上変化する。具体的には、遮断器状態診断装置１００の情報処理部１０４へ入力される投入指令電流（トリガ）が所定の投入指令電流閾値以上上昇した後に、常開接点４ａ間の電圧波形（ａコン）が所定の常開接点電圧閾値以上低下し、常閉接点４ｂ間の電圧波形（ｂコン）が所定の常閉接点電圧閾値以上上昇する。この場合、投入指令常開接点応答時間は２５．５［ｍｓ］であり、投入指令常閉接点応答時間は３５．２［ｍｓ］である。
図３の左図と右図とによれば、遮断器状態診断装置１００へ入力される電流波形（トリガ）と、常開接点４ａ間の電圧波形（ａコン）と、常閉接点４ｂ間の電圧波形（ｂコン）とに基づいて導出した投入指令常開接点応答時間と、投入指令常閉接点応答時間と、遮断器状態診断装置１００の情報処理部１０４へ入力される投入指令電流（トリガ）と、常開接点４ａ間の電圧波形（ａコン）と、常閉接点４ｂ間の電圧波形（ｂコン）とに基づいて導出した投入指令常開接点応答時間と、投入指令常閉接点応答時間との間で、同様の結果が得られることが分かる。
【００２８】
（電流センサ５が投入コイル７流れる電流を検出する場合）
図４は、第１の実施形態の遮断器状態診断装置の動作の一例を示す図である。
図４の左図は、電流センサ５から遮断器状態診断装置１００へ入力される電流波形（トリガ）と、常開接点４ａ間の電圧波形（ａコン）と、常閉接点４ｂ間の電圧波形（ｂコン）とが示される。つまり、図４の左図は、通常のモニタリングの結果を示す。
図４の左図によれば、遮断器状態診断装置１００へ入力される電流波形（トリガ）が所定の電流閾値以上変化した後に、常閉接点４ｂ間の電圧波形（ｂコン）が所定の常閉接点電圧閾値以上変化し、その後、常開接点４ａ間の電圧波形（ａコン）が所定の常開接点電圧閾値以上変化する。具体的には、遮断器状態診断装置１００へ入力される電流波形（トリガ）が所定の電流閾値上昇した後に、常閉接点４ｂ間の電圧波形（ｂコン）が所定の常閉接点電圧閾値以上低下し、常開接点４ａ間の電圧波形（ａコン）が所定の常開接点電圧閾値以上上昇する。この場合、投入指令常閉接点応答時間は６９［ｍｓ］であり、投入指令常開接点応答時間は１０９［ｍｓ］である。
図４の右図は、遮断器状態診断装置１００の情報処理部１０４へ入力される投入指令電流（トリガ）と、常開接点４ａ間の常開接点電圧波形（ａコン）と、常閉接点４ｂ間の常閉接点電圧波形（ｂコン）とが示される。つまり、図４の右図は、本実施形態の遮断器状態診断装置１００による結果を示す。
図４の右図によれば、遮断器状態診断装置１００の情報処理部１０４へ入力される投入指令電流（トリガ）が所定の投入指令電流閾値以上変化した後に、常閉接点４ｂ間の電圧波形（ｂコン）が所定の常閉接点電圧閾値以上変化し、その後、常開接点４ａ間の電圧波形（ａコン）が所定の常開接点電圧閾値以上変化する。具体的には、遮断器状態診断装置１００の情報処理部１０４へ入力される投入指令電流（トリガ）が所定の投入指令電流閾値以上上昇した後に、常閉接点４ｂ間の電圧波形（ｂコン）が所定の常閉接点電圧閾値以上低下し、常開接点４ａ間の電圧波形（ａコン）が所定の常開接点電圧閾値以上情上昇する。この場合、投入指令常閉接点応答時間は６８．４［ｍｓ］であり、投入指令常開接点応答時間は１０９．１［ｍｓ］である。
図４の左図と右図とによれば、遮断器状態診断装置１００へ入力される電流波形（トリガ）と、常開接点４ａ間の電圧波形（ａコン）と、常閉接点４ｂ間の電圧波形（ｂコン）とに基づいて導出した開放指令常開接点応答時間と、開放指令常閉接点応答時間と、遮断器状態診断装置１００の情報処理部１０４へ入力される開放指令電流（トリガ）と、常開接点４ａ間の電圧波形（ａコン）と、常閉接点４ｂ間の電圧波形（ｂコン）とに基づいて導出した開放指令常開接点応答時間と、開放指令常閉接点応答時間との間で、同様の結果が得られることが分かる。
【００２９】
（遮断器状態診断装置の動作）
図５は、第１の実施形態の遮断器状態診断装置の動作の一例を示すフローチャートである。
（ステップＳ１）
遮断器状態診断装置１００の指令電流検出部１０４１は、入力ポート１０３が出力した投入指令電流と、開放指令電流とのいずれかを検出する。
（ステップＳ２）
指令電流検出部１０４１は、投入指令電流を検出したか否かを判定する。
（ステップＳ３）
指令電流検出部１０４１は、投入指令電流を検出した場合には、投入指令電流を検出したことを示す情報を、時間測定部１０４３へ出力する。時間測定部１０４３は、指令電流検出部１０４１が出力した投入指令電流を検出したことを示す情報を取得し、投入指令電流を検出したことを示す情報を取得した日時を、リアルタイム時計１０７から取得する。時間測定部１０４３は、投入指令電流を検出したことを示す情報を取得した日時を、記憶部１０８に記憶する。
（ステップＳ４）
開閉状態検出部１０４２は、入力ポート１０３が出力した常開接点電圧に基づいて、常開接点４ａが開放状態から投入状態へ変化したことを検出し、常開接点４ａが開放状態から投入状態へ変化したことを示す情報を、時間測定部１０４３へ出力する。
（ステップＳ５）
時間測定部１０４３は、開閉状態検出部１０４２が出力した常開接点４ａが開放状態から投入状態へ変化したことを示す情報を取得する。時間測定部１０４３は、常開接点４ａが開放状態から投入状態へ変化したことを示す情報を取得した日時を、リアルタイム時計１０７から取得する。時間測定部１０４３は、常開接点４ａが開放状態から投入状態へ変化したことを示す情報を取得した日時を、記憶部１０８に記憶する。
（ステップＳ６）
時間測定部１０４３は、指令電流検出部１０４１が出力した投入指令電流を検出したことを示す情報を取得した日時と、常開接点４ａが開放状態から投入状態へ変化したことを示す情報を取得した日時とに基づいて、投入指令常開接点応答時間を測定する。時間測定部１０４３は、測定した投入指令常開接点応答時間を示す情報を、判定部１０４４と、ディスプレイ１０６とへ出力する。
（ステップＳ７）
開閉状態検出部１０４２は、入力ポート１０３が出力した常閉接点電圧に基づいて、常閉接点４ｂが投入状態から開放状態へ変化したことを検出し、常閉接点４ｂが投入状態から開放状態へ変化したことを示す情報を、時間測定部１０４３へ出力する。
（ステップＳ８）
時間測定部１０４３は、開閉状態検出部１０４２が出力した常閉接点４ｂが投入状態から開放状態へ変化したことを示す情報を取得する。時間測定部１０４３は、常閉接点４ｂが投入状態から開放状態へ変化したことを示す情報を取得した日時を、リアルタイム時計１０７から取得する。時間測定部１０４３は、常閉接点４ｂが投入状態から開放状態へ変化したことを示す情報を取得した日時を、記憶部１０８に記憶する。
（ステップＳ９）
時間測定部１０４３は、指令電流検出部１０４１が出力した投入指令電流を検出したことを示す情報を取得した日時と、常閉接点４ｂが投入状態から開放状態へ変化したことを示す情報を取得した日時とに基づいて、投入指令常閉接点応答時間を測定する。時間測定部１０４３は、測定した投入指令常閉接点応答時間を示す情報を、記憶部１０８に記憶するとともに、判定部１０４４と、ディスプレイ１０６とへ出力する。
（ステップＳ１０）
判定部１０４４は、時間測定部１０４３が出力した投入指令常開接点応答時間を示す情報と、投入指令常閉接点応答時間を示す情報とを取得する。判定部１０４４は、取得した投入指令常開接点応答時間を示す情報と、投入指令常閉接点応答時間を示す情報とに基づいて、遮断器１０が正常であるか否かを判定する。判定部１０４４は、遮断器１０が異常であるか否かの判定結果を、ディスプレイ１０６へ出力する。
【００３０】
（ステップＳ１１）
ディスプレイ１０６は、時間測定部１０４３が出力した投入指令常開接点応答時間を示す情報と、投入指令常閉接点応答時間を示す情報とを取得し、取得した投入指令常開接点応答時間を示す情報と、投入指令常閉接点応答時間を示す情報とを表示する。
ディスプレイ１０６は、判定部１０４４が出力した遮断器１０が異常であるか否かの判定結果を取得し、取得した遮断器１０が異常であるか否かの判定結果を表示する。
（ステップＳ１２）
指令電流検出部１０４１は、開放指令電流を検出した場合には、開放指令電流を検出したことを示す情報を、時間測定部１０４３へ出力する。時間測定部１０４３は、指令電流検出部１０４１が出力した開放指令電流を検出したことを示す情報を取得し、開放指令電流を検出したことを示す情報を取得した日時を、リアルタイム時計１０７から取得する。時間測定部１０４３は、開放指令電流を検出したことを示す情報を取得した日時を、記憶部１０８に記憶する。
（ステップＳ１３）
開閉状態検出部１０４２は、入力ポート１０３が出力した常開接点電圧に基づいて、常開接点４ａが投入状態から開放状態へ変化したことを検出し、常開接点４ａが投入状態から開放状態へ変化したことを示す情報を、時間測定部１０４３へ出力する。
（ステップＳ１４）
時間測定部１０４３は、開閉状態検出部１０４２が出力した常開接点４ａが投入状態から開放状態へ変化したことを示す情報を取得する。時間測定部１０４３は、常開接点４ａが投入状態から開放状態へ変化したことを示す情報を取得した日時を、リアルタイム時計１０７から取得する。時間測定部１０４３は、常開接点４ａが投入状態から開放状態へ変化したことを示す情報を取得した日時を、記憶部１０８に記憶する。
（ステップＳ１５）
時間測定部１０４３は、指令電流検出部１０４１が出力した開放指令電流を検出したことを示す情報を取得した日時と、常開接点４ａが投入状態から開放状態へ変化したことを示す情報を取得した日時とに基づいて、開放指令常開接点応答時間を測定する。時間測定部１０４３は、測定した開放指令常開接点応答時間を示す情報を、判定部１０４４と、ディスプレイ１０６とへ出力する。
【００３１】
（ステップＳ１６）
開閉状態検出部１０４２は、入力ポート１０３が出力した常閉接点電圧に基づいて、常閉接点４ｂが開放状態から投入状態へ変化したことを検出し、常閉接点４ｂが開放状態から投入状態へ変化したことを示す情報を、時間測定部１０４３へ出力する。
（ステップＳ１７）
時間測定部１０４３は、開閉状態検出部１０４２が出力した常閉接点４ｂが開放状態から投入状態へ変化したことを示す情報を取得する。時間測定部１０４３は、常閉接点４ｂが開放状態から投入状態へ変化したことを示す情報を取得した日時を、リアルタイム時計１０７から取得する。時間測定部１０４３は、常閉接点４ｂが開放状態から投入状態へ変化したことを示す情報を取得した日時を、記憶部１０８に記憶する。
（ステップＳ１８）
時間測定部１０４３は、指令電流検出部１０４１が出力した開放指令電流を検出したことを示す情報を取得した日時と、常閉接点４ｂが開放状態から投入状態へ変化したことを示す情報を取得した日時とに基づいて、開放指令常閉接点応答時間を測定する。時間測定部１０４３は、測定した開放指令常閉接点応答時間を示す情報を、記憶部１０８に記憶するとともに、判定部１０４４と、ディスプレイ１０６とへ出力する。
（ステップＳ１９）
判定部１０４４は、時間測定部１０４３が出力した開放指令常開接点応答時間を示す情報と、開放指令常閉接点応答時間を示す情報とを取得する。判定部１０４４は、取得した開放指令常開接点応答時間を示す情報と、開放指令常閉接点応答時間を示す情報とに基づいて、遮断器１０が正常であるか否かを判定する。判定部１０４４は、遮断器１０が異常であるか否かの判定結果を、ディスプレイ１０６へ出力する。
（ステップＳ２０）
ディスプレイ１０６は、時間測定部１０４３が出力した開放指令常開接点応答時間を示す情報と、開放指令常閉接点応答時間を示す情報とを取得し、取得した開放指令常開接点応答時間を示す情報と、開放指令常閉接点応答時間を示す情報とを表示する。
ディスプレイ１０６は、判定部１０４４が出力した遮断器１０が異常であるか否かの判定結果を取得し、取得した遮断器１０が異常であるか否かの判定結果を表示する。
図５に示されるフローチャートにおいて、ステップＳ４からＳ６と、ステップＳ７からＳ９との順序を入れ替えてもよいし、ステップＳ１３からＳ１５と、ステップＳ１６からＳ１８との順序を入れ替えてもよい。
【００３２】
前述した第１の実施形態では、遮断器状態診断装置１００が、遮断器１０に含まれる操作箱に常設される場合について説明したが、この限りでない。例えば、遮断器状態診断装置１００を、遮断器１０に取り付けるようにしてもよい。
前述した第１の実施形態では、遮断器状態診断装置１００が、開放指令常開接点応答時間を示す情報と、開放指令常閉接点応答時間を示す情報との両方に基づいて、遮断器１０が正常であるか否かを判定する場合について説明したが、この例に限られない。例えば、遮断器状態診断装置１００が、開放指令常開接点応答時間を示す情報と、開放指令常閉接点応答時間を示す情報とのいずれかに基づいて、遮断器１０が正常であるか否かを判定してもよい。また、例えば、遮断器状態診断装置１００が、開放指令電流を検出したことを示す情報を取得した日時から、主接点３が投入状態から開放状態へ変化した日時までに経過した時間と、投入指令電流を検出したことを示す情報を取得した日時から、主接点３が開放状態から投入状態へ変化した日時までに経過した時間とのいずれか一方又は両方に基づいて、遮断器１０が正常であるか否かを判定してもよい。
前述した第１の実施形態では、遮断器状態診断装置１００が、遮断器１０が正常であるか否かを判定する場合について説明したが、この例に限られない。例えば、遮断器状態診断装置１００は、遮断器１０が正常であるか否かを判定するとともに、遮断器１０が正常であるか否かの判定結果に基づいて、遮断器１０の点検時期を導出するようにしてもよい。具体的には、判定部１０４４は、開放指令常開接点応答時間が開放指令常開接点応答時間閾値未満である場合に、その差に応じて、差が小さくなるにしたがって点検時期を早い時期とし、差が大きくなるにしたがって点検時期を遅い時期としてもよい。また、判定部１０４４は、開放指令常閉接点応答時間が開放指令常閉接点応答時間閾値未満である場合に、その差に応じて、差が小さくなるにしたがって点検時期を早い時期とし、差が大きくなるにしたがって点検時期を遅い時期としてもよい。
第１の実施形態の遮断器状態診断装置１００によれば、遮断器状態診断装置１００は、遮断器１０の投入コイル７と開放コイル６とに流れる電流である指令電流を検出する指令電流検出部と、遮断器１０の主接点３間に印加されている電圧に基づいて、主接点３の開閉状態の変化を検出する開閉状態検出部と、指令電流検出部が指令電流を検出してから、開閉状態検出部が主接点３の開閉状態の変化を検出するまでの時間を測定する時間測定部と、時間測定部が測定した時間に基づいて、遮断器１０の状態を判定する判定部とを備える。このように構成することによって、遮断器状態診断装置１００のサイズをコンパクトにできる。遮断器状態診断装置１００のサイズをコンパクトにしたことによって、遮断器１０に内蔵できる。遮断器状態診断装置１００を、遮断器１０に内蔵できる。これによって、遮断器１０の主接点３が開放状態と投入状態との間で変化するたびに、動作時間（投入指令常開接点応答時間、投入指令常閉接点応答時間、開放指令常開接点応答時間、開放指令常閉接点応答時間）を導出できるため、遮断器１０を停止させることなく、動作確認のための点検を代替できる。
【００３３】
従来は、オシログラフや波形記録計などにより、指令電流と主接点、もしくは補助開閉器の常閉接点および常開接点の状態を記録し、記録した状態から、動作時間を技術員が読み取っていた。
また、遮断器１０の投入コイル７と開放コイル６とに流れる電流からノイズを除去する処理を行うノイズ除去部と、遮断器１０の主接点３間に印加されている電圧からチャタリングを除去する処理を行うチャタリング除去部とを備え、指令電流検出部は、ノイズ除去部がノイズを除去する処理を行った電流である指令電流を検出し、開閉状態検出部は、チャタリング除去部がチャタリングを除去する処理を行った電圧に基づいて、主接点３の開閉状態の変化を検出する。
ここで、チャタリング除去部は、主接点３と機械的にリンクした常開接点と常閉接点とのいずれか一方又は両方に印加されている電圧からチャタリングを除去する処理を行い、開閉状態検出部は、チャタリング除去部がチャタリングを除去する処理を行った常開接点と常閉接点とのいずれか一方又は両方に印加されている電圧に基づいて、主接点の開閉状態の変化を検出する。
遮断器１０の主接点３の開閉動作（開放状態と投入状態との間の変化）は高速であるため、主接点３の開閉動作の途上において、主接点３とリンクして動作する補助開閉器の接点が完全閉又は完全開となる過程において、チャタリング（ばたつき）が生じるおそれがある。遮断器状態診断装置１００は、接点入力インターフェース（ＦＬ）１０１−１と、接点入力インターフェース（ＦＬ）１０１−２とを備え、接点入力インターフェース（ＦＬ）１０１−１と、接点入力インターフェース（ＦＬ）１０１−２との各々は、アナログフィルターと、過電圧保護回路とを備えるため、ノイズを除去できる。このため、チャタリングの影響を低減できる。
また、遮断器の操作箱の近傍では、主回路からの電磁誘導や開閉時の開閉サージにより、操作電流を検出する回路や補助開閉器の接点状態の検出回路に様々なノイズが重畳する。遮断器状態診断装置１００は、接点入力インターフェース（ＦＬ）１０１−１と、接点入力インターフェース（ＦＬ）１０１−２と、電流入力インターフェース（ＤＴ）１０２とを備え、接点入力インターフェース（ＦＬ）１０１−１と、接点入力インターフェース（ＦＬ）１０１−２と、電流入力インターフェース（ＤＴ）１０２との各々は、アナログフィルターと、過電圧保護回路とを備えるため、ノイズを除去できる。
【００３４】
（第２の実施形態）
（遮断器状態診断システム）
本発明の第２の実施形態の遮断器状態診断システムを、図面を参照して説明する。
図６は、第２の実施形態の遮断器状態診断システムが診断する遮断器の一例を示す図である。第２の実施形態の遮断器状態診断システムは、第１の実施形態と比較して、遮断器状態収集装置１００ａと、遮断器状態診断装置１００ｂとを備える点で異なる。遮断器状態収集装置１００ａと、遮断器状態診断装置１００ｂとは、インターネットなどのネットワーク５０を介して接続される。
第２の実施形態の遮断器状態収集装置１００ａは、遮断器１０の投入コイル７と開放コイル６とに流れる電流である指令電流を検出する。第２の実施形態の遮断器状態収集装置１００ａは、遮断器１０の主接点３間に印加されている電圧に基づいて、主接点３の開閉状態の変化を検出する。第２の実施形態の遮断器状態収集装置１００ａは、指令電流を検出してから、主接点３の開閉状態の変化を検出するまでの時間を測定する。第２の実施形態の遮断器状態収集装置１００ａは、指令電流を検出してから、主接点３の開閉状態の変化を検出するまでの時間の測定結果を示す情報を含み、遮断器状態診断装置１００ｂをあて先とする通知情報を作成し、作成した通知情報を、遮断器状態診断装置１００ｂへ送信する。
第２の実施形態の遮断器状態診断装置１００ｂは、遮断器状態診断装置１００ｂは、遮断器状態収集装置が送信した通知情報を受信し、受信した通知情報に含まれる指令電流を検出してから、主接点の開閉状態の変化を検出するまでの時間の測定結果を取得する。第２の実施形態の遮断器状態診断装置１００ｂは、取得した指令電流を検出してから、主接点の開閉状態の変化を検出するまでの時間の測定結果に基づいて、遮断器１０の状態を判定する。ここで、遮断器状態収集装置１００ａと、遮断器状態診断装置１００ｂとについて順次説明する。
【００３５】
（遮断器状態診断装置）
図７は、第２の実施形態の遮断器状態収集装置の一例を示すブロック図である。
第２の実施形態の遮断器状態収集装置１００ａは、接点入力インターフェース（ＦＬ）１０１−１と、接点入力インターフェース（ＦＬ）１０１−２と、電流入力インターフェース（ＤＴ）１０２と、入力ポート（Ｉ／Ｐ）１０３と、情報処理部１０４ａと、動作状態監視部（ＷＤＴ）１０５と、ディスプレイ（ＤＩＳＰ）１０６と、リアルタイム時計（ＲＴＣ）１０７と、記憶部（ＥＥＰＲＯＭ）１０８ａと、出力ポート（Ｏ／Ｐ）１０９と、通信部１１０ａとを備える。
【００３６】
記憶部１０８ａは、情報処理部１０４ａと接続される。記憶部１０８ａは、情報処理部１０４ａにより実行されるプログラム１０８１ａが記憶される。
プログラム１０８１ａは、遮断器状態収集装置１００ａに、遮断器１０の投入コイル７に流れる投入指令電流と、開放コイル６に流れる開放指令電流とのいずれかを検出させる。プログラム１０８１ａは、遮断器状態収集装置１００ａに、主接点３が開放状態から投入状態へ変化した場合に、入力ポート１０３が出力した常開接点電圧に基づいて、常開接点４ａが開から閉へ変化したことを検出させる。プログラム１０８１ａは、遮断器状態収集装置１００ａに、主接点３が開放状態から投入状態へ変化した場合に、入力ポート１０３が出力した常閉接点電圧に基づいて、常閉接点４ｂが閉から開へ変化したことを検出させる。
プログラム１０８１ａは、遮断器状態収集装置１００ａに、投入指令電流を検出した日時から、常開接点４ａが開から閉へ変化したことを検出した日時までに要した時間である投入指令常開接点応答時間を測定させる。プログラム１０８１ａは、遮断器状態収集装置１００ａに、投入指令電流を検出した日時から、常閉接点４ｂが閉から開へ変化したことを検出した日時までに要した時間である投入指令常閉接点応答時間を測定させる。プログラム１０８１ａは、遮断器状態収集装置１００ａに、測定させた投入指令常開接点応答時間を示す情報と、投入指令常閉接点応答時間を示す情報とを含み、遮断器状態診断装置１００ｂをあて先とする通知情報を作成させ、作成させた通知情報を、遮断器状態診断装置１００ｂへ送信させる。
【００３７】
プログラム１０８１ａは、遮断器状態収集装置１００ａに、主接点３が投入状態から開放状態へ変換した場合に、入力ポート１０３が出力した常開接点電圧に基づいて、常開接点４ａが閉から開へ変化したことを検出させる。プログラム１０８１ａは、遮断器状態収集装置１００ａに、主接点３が投入状態から開放状態へ変換した場合に、入力ポート１０３が出力した常閉接点電圧に基づいて、常閉接点４ｂが開から閉へ変化したことを検出させる。
プログラム１０８１ａは、遮断器状態収集装置１００ａに、開放指令電流を検出した日時から、常閉接点４ｂが開から閉へ変化したことを検出した日時までに要した時間である開放指令常閉接点応答時間を測定させる。プログラム１０８１ａは、遮断器状態収集装置１００ａに、開放指令電流を検出した日時から、常開接点４ａが閉から開へ変化したことを検出した日時までに要した時間である開放指令常開接点応答時間を測定させる。プログラム１０８１ａは、遮断器状態収集装置１００ａに、測定させた投入指令常閉接点応答時間を示す情報と、投入指令常開接点応答時間を示す情報とを含み、遮断器状態診断装置１００ｂをあて先とする通知情報を作成させ、作成させた通知情報を、遮断器状態診断装置１００ｂへ送信させる。
【００３８】
通信部１１０は、通信モジュールによって実現される。具体的には、通信部１１０は、ＬＴＥ、無線ＬＡＮ等の無線通信技術で無線通信を行う無線デバイスによって構成される。また、通信部１１０は、有線通信を行うデバイスによって構成されてもよい。通信部１１０は、ネットワーク５０を介して、遮断器状態診断装置１００ｂなどの外部の通信装置と通信する。具体的には、通信部１１０は、情報処理部１０４ａが出力した通知情報を取得し、取得した通知情報を、遮断器状態診断装置１００ｂへ送信する。
情報処理部１０４ａの全部または一部は、例えば、ＣＰＵなどのプロセッサが記憶部１０８ａに格納されたプログラム１０８１ａを実行することにより実現されるソフトウェア機能部である。なお、情報処理部１０４ａの全部または一部は、ＬＳＩ、ＡＳＩＣ、またはＦＰＧＡなどのハードウェアにより実現されてもよく、ソフトウェア機能部とハードウェアとの組み合わせによって実現されてもよい。
情報処理部１０４ａは、例えば、指令電流検出部１０４１と、開閉状態検出部１０４２と、時間測定部１０４３と、作成部１０４５として機能する。
時間測定部１０４３は、測定した投入指令常開接点応答時間を示す情報と、投入指令常閉接点応答時間を示す情報とを、作成部１０４５と、ディスプレイ１０６とへ出力する。
時間測定部１０４３は、測定した開放指令常開接点応答時間を示す情報と、開放指令常閉接点応答時間を示す情報とを、作成部１０４５と、ディスプレイ１０６とへ出力する。
【００３９】
作成部１０４５は、時間測定部１０４３が出力した投入指令常開接点応答時間を示す情報と、投入指令常閉接点応答時間を示す情報とを取得する。作成部１０４５は、取得した投入指令常開接点応答時間を示す情報と、投入指令常閉接点応答時間を示す情報とを含み、遮断器状態診断装置１００ｂをあて先とする通知情報を作成し、作成した通知情報を、通信部１１０ａへ出力する。
作成部１０４５は、時間測定部１０４３が出力した開放指令常開接点応答時間を示す情報と、開放指令常閉接点応答時間を示す情報とを取得する。作成部１０４５は、取得した開放指令常開接点応答時間を示す情報と、開放指令常閉接点応答時間を示す情報とを含み、遮断器状態診断装置１００ｂをあて先とする通知情報を作成し、作成した通知情報を、通信部１１０ａへ出力する。次に、遮断器状態診断装置１００ｂについて説明する。
【００４０】
（遮断器状態診断装置）
図８は、第２の実施形態の遮断器状態診断装置の一例を示す図である。遮断器状態診断装置１００ｂは、パーソナルコンピュータ、サーバー、又は産業用コンピュータ等の装置によって実現される。遮断器状態診断装置１００ｂは、通信部１１０ｂと、記憶部１０８ｂと、操作部１２０と、情報処理部１０４ｂと、ディスプレイ（ＤＩＳＰ）１０６ｂと、各構成要素を図８に示されているように電気的に接続するためのアドレスバスやデータバスなどのバスライン１５０とを備える。
通信部１１０ｂは、通信モジュールによって実現される。具体的には、通信部１１０ｂは、ＬＴＥ、無線ＬＡＮ等の無線通信技術で無線通信を行う無線デバイスによって構成される。また、通信部１１０ｂは、有線通信を行うデバイスによって構成されてもよい。通信部１１０ｂは、ネットワーク５０を介して、遮断器状態収集装置１００ａなどの外部の通信装置と通信する。具体的には、通信部１１０ｂは、遮断器状態収集装置１００ａが送信した通知情報を受信し、受信した通知情報を、情報処理部１０４ｂへ出力する。
【００４１】
記憶部１０８ｂは、例えば、ＲＡＭ、ＲＯＭ、ＨＤＤ、フラッシュメモリ、またはこれらのうち複数が組み合わされたハイブリッド型記憶装置などにより実現される。記憶部１０８ｂには、情報処理部１０４ｂにより実行されるプログラム１０８２と、アプリ１０８３とが記憶される。
プログラム１０８２は、例えば、オペレーティングシステムであり、ユーザやアプリケーションプログラムとハードウェアの中間に位置し、ユーザやアプリケーションプログラムに対して標準的なインターフェースを提供すると同時に、ハードウェアなどの各リソースに対して効率的な管理を行う。
アプリ１０８３は、遮断器状態診断装置１００ｂに、遮断器状態収集装置１００ａが送信した通知情報を受信させ、受信させた通知情報に含まれる投入指令常開接点応答時間を示す情報と、投入指令常閉接点応答時間を示す情報とを取得させる。アプリ１０８３は、遮断器状態診断装置１００ｂに、取得させた投入指令常開接点応答時間を示す情報と、投入指令常閉接点応答時間を示す情報とに基づいて、遮断器１０が正常であるか否かを判定させる。アプリ１０８３は、遮断器状態診断装置１００ｂに、遮断器１０が異常であるか否かの判定結果を、ディスプレイ１０６ｂへ出力させる。
アプリ１０８３は、遮断器状態診断装置１００ｂに、遮断器状態収集装置１００ａが送信した通知情報を受信させ、受信させた通知情報に含まれる開放指令常開接点応答時間を示す情報と、開放指令常閉接点応答時間を示す情報とを取得させる。アプリ１０８３は、遮断器状態診断装置１００ｂに、取得させた開放指令常開接点応答時間を示す情報と、開放指令常閉接点応答時間を示す情報とに基づいて、遮断器１０が正常であるか否かを判定させる。アプリ１０８３は、遮断器状態診断装置１００ｂに、遮断器１０が異常であるか否かの判定結果を、ディスプレイ１０６ｂへ出力させる。
ディスプレイ１０６ｂは、情報処理部１０４ｂが出力した遮断器１０が異常であるか否かの判定結果を、表示する。
操作部１２０は、例えば、タッチパネルなどによって構成され、ディスプレイ１０６ｂに表示される画面に対するタッチ操作を検出し、タッチ操作の検出結果を、情報処理部１０４ｂへ出力する。
【００４２】
情報処理部１０４ｂの全部または一部は、例えば、ＣＰＵなどのプロセッサが記憶部１０８ｂに格納されたプログラム１０８２とアプリ１０８３とを実行することにより実現されるソフトウェア機能部である。なお、情報処理部１０４ｂの全部または一部は、ＬＳＩ、ＡＳＩＣ、またはＦＰＧＡなどのハードウェアにより実現されてもよく、ソフトウェア機能部とハードウェアとの組み合わせによって実現されてもよい。
情報処理部１０４ｂは、例えば、受付部１０４６と、判定部１０４４ｂとを備える。
受付部１０４６は、通信部１１０ｂが出力した通知情報を取得し、取得した通知情報に含まれる投入指令常開接点応答時間を示す情報と、投入指令常閉接点応答時間を示す情報とを取得する。受付部１０４６は、取得した投入指令常開接点応答時間を示す情報と、投入指令常閉接点応答時間を示す情報とを受け付ける。受付部１０４６は、受け付けた投入指令常開接点応答時間を示す情報と、投入指令常閉接点応答時間を示す情報とを、判定部１０４４ｂへ出力する。
受付部１０４６は、通信部１１０ｂが出力した通知情報を取得し、取得した通知情報に含まれる開放指令常開接点応答時間を示す情報と、開放指令常閉接点応答時間を示す情報とを取得する。受付部１０４６は、取得した開放指令常開接点応答時間を示す情報と、開放指令常閉接点応答時間を示す情報とを受け付ける。受付部１０４６は、受け付けた開放指令常開接点応答時間を示す情報と、開放指令常閉接点応答時間を示す情報とを、判定部１０４４ｂへ出力する。
【００４３】
判定部１０４４ｂは、受付部１０４６が出力した投入指令常開接点応答時間を示す情報と、投入指令常閉接点応答時間を示す情報とを取得する。判定部１０４４ｂは、取得した投入指令常開接点応答時間を示す情報と、投入指令常閉接点応答時間を示す情報とに基づいて、遮断器１０が正常であるか否かを判定する。
具体的には、判定部１０４４ｂは、予め設定されている投入指令常開接点応答時間閾値と、投入指令常閉接点応答時間閾値とに基づいて、投入指令常開接点応答時間が投入指令常開接点応答時間閾値未満であり、且つ投入指令常閉接点応答時間が投入指令常閉接点応答時間閾値未満である場合に、遮断器１０が正常であると判定する。判定部１０４４ｂは、投入指令常開接点応答時間が投入指令常開接点応答時間閾値以上、又は投入指令常閉接点応答時間が投入指令常閉接点応答時間閾値以上である場合に、遮断器１０が異常であると判定する。判定部１０４４ｂは、遮断器１０が異常であるか否かの判定結果を、ディスプレイ１０６ｂへ出力する。
判定部１０４４ｂは、受付部１０４６が出力した開放指令常開接点応答時間を示す情報と、開放指令常閉接点応答時間を示す情報とを取得する。判定部１０４４ｂは、取得した開放指令常開接点応答時間を示す情報と、開放指令常閉接点応答時間を示す情報とに基づいて、遮断器１０が正常であるか否かを判定する。
具体的には、判定部１０４４ｂは、予め設定されている開放指令常開接点応答時間閾値と、開放指令常閉接点応答時間閾値とに基づいて、開放指令常開接点応答時間が開放指令常開接点応答時間閾値未満であり、且つ開放指令常閉接点応答時間が開放指令常閉接点応答時間閾値未満である場合に、遮断器１０が正常であると判定する。判定部１０４４ｂは、開放指令常開接点応答時間が開放指令常開接点応答時間閾値以上、又は開放指令常閉接点応答時間が開放指令常閉接点応答時間閾値以上である場合に、遮断器１０が異常であると判定する。判定部１０４４ｂは、遮断器１０が異常であるか否かの判定結果を、ディスプレイ１０６ｂへ出力する。
【００４４】
（遮断器状態診断システムの動作）
遮断器状態診断システムの動作を、電流センサ５が投入コイル７流れる電流を検出する場合と、電流センサ５が開放コイル６に流れる電流を検出する場合とに分けて説明する。
（電流センサ５が投入コイル７流れる電流を検出する場合）
図９は、第２の実施形態の遮断器状態診断システムの動作の一例を示すシーケンスチャートである。
（ステップＳ２１）
遮断器状態収集装置１００ａの指令電流検出部１０４１は、入力ポート１０３が出力した投入指令電流を検出する。
（ステップＳ２２）
指令電流検出部１０４１は、投入指令電流を検出したことを示す情報を、時間測定部１０４３へ出力する。時間測定部１０４３は、指令電流検出部１０４１が出力した投入指令電流を検出したことを示す情報を取得し、投入指令電流を検出したことを示す情報を取得した日時を、リアルタイム時計１０７から取得する。時間測定部１０４３は、投入指令電流を検出したことを示す情報を取得した日時を、記憶部１０８ａに記憶する。
ステップＳ２３からステップＳ２８は、前述したステップＳ４からステップＳ９を適用できる。ただし、ステップＳ２５では、時間測定部１０４３は、測定した投入指令常開接点応答時間を示す情報を、作成部１０４５と、ディスプレイ１０６とへ出力する。ステップＳ２８では、時間測定部１０４３は、測定した投入指令常閉接点応答時間を示す情報を、記憶部１０８ａに記憶するとともに、作成部１０４５と、ディスプレイ１０６とへ出力する。
（ステップＳ２９）
作成部１０４５は、時間測定部１０４３が出力した投入指令常開接点応答時間を示す情報と、投入指令常閉接点応答時間を示す情報とを取得し、取得した投入指令常開接点応答時間を示す情報と、投入指令常閉接点応答時間を示す情報とを含み、遮断器状態診断装置１００ｂをあて先とする通知情報を作成し、作成した通知情報を、通信部１１０ａへ出力する。
（ステップＳ３０）
通信部１１０ａは、作成部１０４５が出力した通知情報を作成し、作成した通知情報を、遮断器状態診断装置１００ｂへ送信する。
（ステップＳ３１）
遮断器状態診断装置１００ｂの通信部１１０ｂは、遮断器状態収集装置１００ａが送信した通知情報を受信し、受信した通知情報を、情報処理部１０４ｂへ出力する。情報処理部１０４ｂの受付部１０４６は、遮断器状態収集装置１００ａが送信した通知情報を取得し、取得した通知情報に含まれる投入指令常開接点応答時間を示す情報と、投入指令常閉接点応答時間を示す情報とを取得し、取得した投入指令常開接点応答時間を示す情報と、投入指令常閉接点応答時間を示す情報とを受け付ける。受付部１０４６は、受け付けた投入指令常開接点応答時間を示す情報と、投入指令常閉接点応答時間を示す情報とを、記憶部１０８ｂに記憶するとともに、判定部１０４４ｂへ出力する。
判定部１０４４ｂは、受付部１０４６が出力した投入指令常開接点応答時間を示す情報と、投入指令常閉接点応答時間を示す情報とを取得する。判定部１０４４ｂは、取得した投入指令常開接点応答時間を示す情報と、投入指令常閉接点応答時間を示す情報とに基づいて、遮断器１０が正常であるか否かを判定する。判定部１０４４ｂは、遮断器１０が異常であるか否かの判定結果を、ディスプレイ１０６ｂへ出力する。
（ステップＳ３２）
ディスプレイ１０６ｂは、判定部１０４４ｂが出力した遮断器１０が異常であるか否かの判定結果を取得し、取得した遮断器１０が異常であるか否かの判定結果を処理することによって表示する。
図９に示されるフローチャートにおいて、ステップＳ２３からＳ２５と、ステップＳ２６からＳ２８との順序を入れ替えてもよい。
【００４５】
（電流センサ５が開放コイル６に流れる電流を検出する場合）
図１０は、第２の実施形態の遮断器状態診断システムの動作の一例を示すシーケンスチャートである。
（ステップＳ４１）
遮断器状態収集装置１００ａの指令電流検出部１０４１は、入力ポート１０３が出力した開放指令電流を検出する。
（ステップＳ４２）
指令電流検出部１０４１は、開放指令電流を検出したことを示す情報を、時間測定部１０４３へ出力する。時間測定部１０４３は、指令電流検出部１０４１が出力した開放指令電流を検出したことを示す情報を取得し、開放指令電流を検出したことを示す情報を取得した日時を、リアルタイム時計１０７から取得する。時間測定部１０４３は、開放指令電流を検出したことを示す情報を取得した日時を、記憶部１０８ａに記憶する。
ステップＳ４３からステップＳ４８は、前述したステップＳ１３からステップＳ１８を適用できる。
ただし、ステップＳ４５では、時間測定部１０４３は、測定した開放指令常開接点応答時間を示す情報を、作成部１０４５と、ディスプレイ１０６とへ出力する。ステップＳ４８では、時間測定部１０４３は、測定した開放指令常閉接点応答時間を示す情報を、記憶部１０８ａに記憶するとともに、作成部１０４５と、ディスプレイ１０６とへ出力する。
（ステップＳ４９）
作成部１０４５は、時間測定部１０４３が出力した投入指令常開接点応答時間を示す情報と、投入指令常閉接点応答時間を示す情報とを取得し、取得した投入指令常開接点応答時間を示す情報と、投入指令常閉接点応答時間を示す情報とを含み、遮断器状態診断装置１００ｂをあて先とする通知情報を作成し、作成した通知情報を、通信部１１０ａへ出力する。
（ステップＳ５０）
通信部１１０ａは、作成部１０４５が出力した通知情報を作成し、作成した通知情報を、遮断器状態診断装置１００ｂへ送信する。
（ステップＳ５１）
遮断器状態診断装置１００ｂの通信部１１０ｂは、遮断器状態収集装置１００ａが送信した通知情報を受信し、受信した通知情報を、情報処理部１０４ｂへ出力する。情報処理部１０４ｂの受付部１０４６は、遮断器状態収集装置１００ａが送信した通知情報を取得し、取得した通知情報に含まれる開放指令常開接点応答時間を示す情報と、開放指令常閉接点応答時間を示す情報とを取得し、取得した開放指令常開接点応答時間を示す情報と、開放指令常閉接点応答時間を示す情報とを受け付ける。受付部１０４６は、受け付けた開放指令常開接点応答時間を示す情報と、開放指令常閉接点応答時間を示す情報とを、記憶部１０８ｂに記憶するとともに、判定部１０４４ｂへ出力する。
判定部１０４４ｂは、受付部１０４６が出力した開放指令常開接点応答時間を示す情報と、開放指令常閉接点応答時間を示す情報とを取得する。判定部１０４４ｂは、取得した開放指令常開接点応答時間を示す情報と、開放指令常閉接点応答時間を示す情報とに基づいて、遮断器１０が正常であるか否かを判定する。判定部１０４４ｂは、遮断器１０が異常であるか否かの判定結果を、ディスプレイ１０６ｂへ出力する。
（ステップＳ５２）
ディスプレイ１０６ｂは、判定部１０４４ｂが出力した遮断器１０が異常であるか否かの判定結果を取得し、取得した遮断器１０が異常であるか否かの判定結果を処理することによって表示する。
図１０に示されるフローチャートにおいて、ステップＳ４３からＳ４５と、ステップＳ４６からＳ４８との順序を入れ替えてもよい。
【００４６】
前述した第２の実施形態では、遮断器状態収集装置１００ａが、遮断器１０に含まれる操作箱に常設される場合について説明したが、この限りでない。例えば、遮断器状態収集装置１００ａを、遮断器１０に取り付けるようにしてもよい。
前述した第２の実施形態では、遮断器状態診断装置１００ｂが、開放指令常開接点応答時間を示す情報と、開放指令常閉接点応答時間を示す情報との両方に基づいて、遮断器１０が正常であるか否かを判定する場合について説明したが、この例に限られない。例えば、遮断器状態診断装置１００ｂが、開放指令常開接点応答時間を示す情報と、開放指令常閉接点応答時間を示す情報とのいずれかに基づいて、遮断器１０が正常であるか否かを判定してもよい。また、例えば、遮断器状態診断装置１００ｂが、開放指令電流を検出したことを示す情報を取得した日時から、主接点３が投入状態から開放状態へ変化した日時までに経過した時間と、投入指令電流を検出したことを示す情報を取得した日時から、主接点３が開放状態から投入状態へ変化した日時までに経過した時間とのいずれか一方又は両方に基づいて、遮断器１０が正常であるか否かを判定してもよい。
前述した第２の実施形態では、遮断器状態診断装置１００ｂが、遮断器１０が正常であるか否かを判定する場合について説明したが、この例に限られない。例えば、遮断器状態診断装置１００ｂは、遮断器１０が正常であるか否かを判定するとともに、遮断器１０が正常であるか否かの判定結果に基づいて、遮断器１０の点検時期を導出するようにしてもよい。具体的には、判定部１０４４は、開放指令常開接点応答時間が開放指令常開接点応答時間閾値未満である場合に、その差に応じて、差が小さくなるにしたがって点検時期を早い時期とし、差が大きくなるにしたがって点検時期を遅い時期としてもよい。また、判定部１０４４ｂは、開放指令常閉接点応答時間が開放指令常閉接点応答時間閾値未満である場合に、その差に応じて、差が小さくなるにしたがって点検時期を早い時期とし、差が大きくなるにしたがって点検時期を遅い時期としてもよい。
【００４７】
第２の実施形態の遮断器診断システムによれば、遮断器状態収集装置１００ａと、遮断器状態診断装置１００ｂとを備えるようにしてことによって、遮断器１０に内蔵される遮断器状態収集装置１００ａを、前述した第１の実施形態の遮断器状態診断装置１００よりもコンパクトにできる。遮断器状態収集装置１００ａを、遮断器１０に内蔵できることによって、遮断器１０の主接点３が開放状態と投入状態との間で変化するたびに、動作時間（投入指令常開接点応答時間、投入指令常閉接点応答時間、開放指令常開接点応答時間、開放指令常閉接点応答時間）を導出できるため、遮断器１０を停止させることなく、動作確認のための点検を代替できる。
従来は、オシログラフや波形記録計などにより、指令電流と主接点、もしくは補助開閉器の常閉接点および常開接点の状態を記録し、記録した状態から、動作時間を技術員が読み取っていた。
遮断器１０の主接点３の開閉動作（開放状態と投入状態との間の変化）は高速であるため、主接点３の開閉動作の途上において、主接点とリンクして動作する補助開閉器の接点が完全閉又は完全開となる過程において、チャタリング（ばたつき）が生じるおそれがある。遮断器状態収集装置１００ａは、接点入力インターフェース（ＦＬ）１０１−１と、接点入力インターフェース（ＦＬ）１０１−２とを備え、接点入力インターフェース（ＦＬ）１０１−１と、接点入力インターフェース（ＦＬ）１０１−２との各々は、アナログフィルターと、過電圧保護回路とを備えるため、ノイズを除去できる。このため、チャタリングの影響を低減できる。
また、遮断器の操作箱の近傍では、主回路からの電磁誘導や開閉時の開閉サージにより、操作電流を検出する回路や補助開閉器の接点状態の検出回路に様々なノイズが重畳する。遮断器状態診断装置１００は、接点入力インターフェース（ＦＬ）１０１−１と、接点入力インターフェース（ＦＬ）１０１−２と、電流入力インターフェース（ＤＴ）１０２とを備え、接点入力インターフェース（ＦＬ）１０１−１と、接点入力インターフェース（ＦＬ）１０１−２と、電流入力インターフェース（ＤＴ）１０２との各々は、アナログフィルターと、過電圧保護回路とを備えるため、ノイズを除去できる。
【００４８】
＜構成例＞
一構成例として、遮断器の投入コイルと開放コイルとに流れる電流である指令電流を検出する指令電流検出部と、前記遮断器の主接点間に印加されている電圧に基づいて、前記主接点の開閉状態の変化を検出する開閉状態検出部と、前記指令電流検出部が前記指令電流を検出してから、前記開閉状態検出部が前記主接点の開閉状態の変化を検出するまでの時間を測定する時間測定部と、前記時間測定部が測定した時間に基づいて、前記遮断器の状態を判定する判定部と、を備える遮断器状態診断装置である。
一構成例として、遮断器の投入コイルと開放コイルとに流れる電流からノイズを除去する処理を行うノイズ除去部（実施形態では、電流入力インターフェース（ＤＴ）１０２）と、前記遮断器の主接点間に印加されている電圧からチャタリングを除去する処理を行うチャタリング除去部（実施形態では、接点入力インターフェース（ＦＬ）１０１−１と、接点入力インターフェース（ＦＬ）１０１−２）とを備え、前記指令電流検出部は、前記ノイズ除去部が前記ノイズを除去する処理を行った電流である指令電流を検出し、前記開閉状態検出部は、前記チャタリング除去部が前記チャタリングを除去する処理を行った電圧に基づいて、前記主接点の開閉状態の変化を検出する。
一構成例として、前記チャタリング除去部は、前記主接点と機械的にリンクした常開接点と常閉接点とのいずれか一方又は両方に印加されている電圧からチャタリングを除去する処理を行い、前記開閉状態検出部は、前記チャタリング除去部が前記チャタリングを除去する処理を行った前記常開接点と前記常閉接点とのいずれか一方又は両方に印加されている電圧に基づいて、前記主接点の開閉状態の変化を検出する。
一構成例として、前記開閉状態検出部は、前記常開接点が開と閉との間で変化したことによって生じる電圧の変化と、前記常閉接点が閉と開との間で変化したことによって生じる電圧の変化とのいずれか一方又は両方に基づいて、前記主接点の開閉状態の変化を検出する。
一構成例として、前記判定部の判定結果に基づいて、前記遮断器の点検時期を導出する導出部を備える。
一構成例として、遮断器の投入コイルと開放コイルとに流れる電流である指令電流を検出する指令電流検出部と、前記遮断器の主接点間に印加されている電圧に基づいて、前記主接点の開閉状態の変化を検出する開閉状態検出部と、前記指令電流検出部が前記指令電流を検出してから、前記開閉状態検出部が前記主接点の開閉状態の変化を検出するまでの時間を測定する時間測定部と、前記時間測定部が測定した時間に基づいて、前記遮断器の状態を判定する判定部と、を備える、遮断器状態診断システムである。
【００４９】
以上、実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更、組合せを行うことができる。これら実施形態は、発明の範囲や要旨に含まれると同時に、特許請求の範囲に記載された発明とその均等の範囲に含まれるものである。
なお、上述した遮断器状態診断装置１００と、遮断器状態収集装置１００ａと、遮断器状態診断装置１００ｂとは、コンピュータで実現するようにしてもよい。その場合、各機能ブロックの機能を実現するためのプログラムをコンピュータ読み取り可能な記録媒体に記録する。この記録媒体に記録されたプログラムをコンピュータシステムに読み込ませ、ＣＰＵが実行することで実現してもよい。ここでいう「コンピュータシステム」とは、ＯＳ(Operating System)や周辺機器などのハードウェアを含むものとする。
また、「コンピュータ読み取り可能な記録媒体」とは、フレキシブルディスク、光磁気ディスク、ＲＯＭ、ＣＤ−ＲＯＭなどの可搬媒体のことをいう。また、「コンピュータ読み取り可能な記録媒体」は、コンピュータシステムに内蔵されるハードディスクなどの記憶装置を含む。
さらに「コンピュータ読み取り可能な記録媒体」とは、短時間の間、動的にプログラムを保持するものを含んでいてもよい。短時間の間、動的にプログラムを保持するものは、例えば、インターネットなどのネットワークや電話回線などの通信回線を介してプログラムを送信する場合の通信線である。
また、「コンピュータ読み取り可能な記録媒体」には、サーバーやクライアントとなるコンピュータシステム内部の揮発性メモリのように、一定時間プログラムを保持しているものも含んでもよい。また上記プログラムは、前述した機能の一部を実現するためのものであってもよい。また、上記プログラムは、前述した機能をコンピュータシステムにすでに記録されているプログラムとの組み合わせで実現できるものであってもよい。また、上記プログラムは、プログラマブルロジックデバイスを用いて実現されるものであってもよい。プログラマブルロジックデバイスは、例えば、ＦＰＧＡ(Field Programmable Gate Array)である。
【００５０】
なお、上述の遮断器状態診断装置１００と、遮断器状態収集装置１００ａと、遮断器状態診断装置１００ｂとは内部にコンピュータを有している。そして、上述した遮断器状態診断装置１００と、遮断器状態収集装置１００ａと、遮断器状態診断装置１００ｂとの各処理の過程は、プログラムの形式でコンピュータ読み取り可能な記録媒体に記憶されており、このプログラムをコンピュータが読み出して実行することによって、上記処理が行われる。
ここでコンピュータ読み取り可能な記録媒体とは、磁気ディスク、光磁気ディスク、ＣＤ−ＲＯＭ、ＤＶＤ−ＲＯＭ、半導体メモリなどをいう。また、このコンピュータプログラムを通信回線によってコンピュータに配信し、この配信を受けたコンピュータが当該プログラムを実行するようにしてもよい。
また、上記プログラムは、前述した機能の一部を実現するためのものであってもよい。
さらに、前述した機能をコンピュータシステムにすでに記録されているプログラムとの組み合わせで実現できるもの、いわゆる差分ファイル（差分プログラム）であってもよい。
【符号の説明】
【００５１】
１−１、１−２…ブッシング、２−１、２−２…主回路導体、３…主接点、４ａ…常開接点、４ｂ…常閉接点、５…電流センサ、６…開放コイル、７…投入コイル、８…制御電源、９…遮断装置、１０…遮断器、５０…ネットワーク、１００…遮断器状態診断装置、１００ａ…遮断器状態収集装置、１００ｂ…遮断器状態診断装置、１０１−１、１０１−２…接点入力インターフェース、１０２…電流入力インターフェース、１０３…入力ポート、１０４、１０４ａ、１０４ｂ…情報処理部、１０５…動作状態監視部、１０６、１０６ｂ…ディスプレイ、１０７…リアルタイム時計、１０８、１０８ａ、１０８ｂ…記憶部、１０９…出力ポート、１１０ａ、１１０ｂ…通信部、１２０…操作部、１０４１…指令電流検出部、１０４２…開閉状態検出部、１０４３…時間測定部、１０４４、１０４４ｂ…判定部、１０４５…作成部、１０４６…受付部、１０８１、１０８１ａ、１０８２…プログラム、１０８３…アプリ
【図１】
2020123525.tif 000003
【図２】
2020123525.tif 000004
【図３】
2020123525.tif 000005
【図４】
2020123525.tif 000006
【図５】
2020123525.tif 000007
【図６】
2020123525.tif 000008
【図７】
2020123525.tif 000009
【図８】
2020123525.tif 000010
【図９】
2020123525.tif 000011
【図１０】
2020123525.tif 000012